(57)【要約】【課題】  デジタル放送受信機を用いた対話的な番組提示システムを低コストで実現する。【解決手段】  放送番組の複数の同時に進行する場面のうちから選択された一つの場面を画面に表示するデジタル放送受信機において、前記画面の一部に、前記放送番組と共に伝送される追加プログラムにより作成される対話的操作のための映像を表示する手段と、ユーザーによる前記対話的操作の結果を記録する手段と、同一番組の再放送時に、前記記録された対話的操作の結果を参照することにより、前回の続きとして番組表示する手段とを有する。【選択図】  図１
2005045834.tif 000002
【特許請求の範囲】
【請求項１】
放送番組の複数の同時に進行する場面のうちから選択された一つの場面を画面に表示するデジタル放送受信機において、
前記画面の一部に、前記放送番組と共に伝送される追加プログラムにより作成される対話的操作のための映像を表示する手段と、
ユーザーによる前記対話的操作の結果を記録する手段と、
同一番組の再放送時に、前記記録された対話的操作の結果を参照することにより、前回の続きとして番組表示する手段とを有することを特徴とするデジタル放送受信機。
【請求項２】
放送番組の複数の同時に進行する場面のうちから選択された一つの場面を画面に表示するデジタル放送受信方法において、
前記画面の一部に、前記放送番組と共に伝送される追加プログラムで作成される対話的操作のための映像を表示する工程と、
ユーザーによる前記対話的操作の結果を記録する工程と、
同一番組の再放送時に、前記記録された対話的操作の結果を参照することにより、前回の続きとして番組表示する工程とを有することを特徴とするデジタル放送受信方法。
【発明の詳細な説明】
【技術分野】
【０００１】
この発明は、デジタル放送において番組と共に伝送されるアプリケーションプログラムを用いたデジタル放送受信機に関する。
【背景技術】
【０００２】
従来、映像作品の話の流れに視聴者が対話的に干渉できるシステムは、ＣＤ−ＲＯＭによるゲームやＤＶＤのマルチアングルといったメディアに存在するだけで、アナログ放送分野には全く無かった。デジタル放送により、複数の映像，複数の音声を一つの番組として伝送する仕組みが実現されている。デジタル放送受信機の基本的な構成を図１に示す。なお、本発明においてもハードウェア構成は従来と変わらない。
【０００３】
デジタル放送受信機では、番組に関連した追加プログラム（以下、アプリケーションプログラムと称す）をデータとして受信し実行することで、番組毎に違った対話的な動作を行わせることが考えられている。アプリケーションプログラムはデータとして放送番組の映像，音声と共にエンコードされて放送され、デジタル放送受信機のアンテナ１０１で受信され、ＤＥＭＵＸ１０３にて分離され、ワークメモリ１１０に貯えられ、ＣＰＵ１０９にて解釈／実行される。
【０００４】
他方、放送番組の映像データ及び音声データはＭＰＥＧデコーダ１０４にてＭＰＥＧ（Moving Picture Expert Group）信号として音声データ，映像データへとデコードされ、映像データはビデオエンコーダ１０５を介してビデオ出力端子１０６から出力され、かつ、音声データは音声用Ｄ／Ａ変換器を介してオーディオ出力端子１０８から出力される。
【０００５】
デジタル放送受信機を用いた映像作品の流れにユーザが対話的に干渉できるシステムについては、例えば、特開平９−２０５６３８号公報において、対話的な番組を作る際に、番組を複数のシーンとして映像信号にシーン識別番号を付けて伝送し、アプリケーションプログラムによってユーザーに任意のシーンを選択させることにより、自由なストーリー作りを可能とするようなデータ送信方式および受信機が開示されている。
【特許文献１】特開平９−２０５６３８号公報
【発明の開示】
【発明が解決しようとする課題】
【０００６】
デジタル放送の複数映像で対話的な作品を作っても、映像切替えの操作はユーザーが行う必要があり、自然に他のシーンに切り変わるといったことが行えない。また、対話性を持たせたが為にユーザーの選択によっては放送時間内にストーリーが完結しないことも考えられる。
【０００７】
前記特開平９−２０５６３８号公報に記載された発明では、映像信号シーンに識別番号を乗せる必要があり、そのために、デジタル放送の通常の映像番組に比べ、映像部分の制作にかかるコストが大きくなる。また、前記特開平９−２０５６３８号公報に記載された発明では、ユーザーに選択されたシーンを提示する際にユーザーを待たせないようにするには、シーン構成のずれた複数の映像信号を放送する必要があり、デジタル放送の通常の映像番組に比べ、放送にかかるコストが大きくなる。
【課題を解決するための手段】
【０００８】
第１の発明は、放送番組の複数の同時に進行する場面のうちから選択された一つの場面を画面に表示するデジタル放送受信機において、前記画面の一部に、前記放送番組と共に伝送される追加プログラムにより作成される対話的操作のための映像を表示する手段と、ユーザーによる前記対話的操作の結果を記録する手段と、同一番組の再放送時に、前記記録された対話的操作の結果を参照することにより、前回の続きとして番組表示する手段とを有することを特徴とする。
【０００９】
第２の発明は、放送番組の複数の同時に進行する場面のうちから選択された一つの場面を画面に表示するデジタル放送受信方法において、前記画面の一部に、前記放送番組と共に伝送される追加プログラムで作成される対話的操作のための映像を表示する工程と、ユーザーによる前記対話的操作の結果を記録する工程と、同一番組の再放送時に、前記記録された対話的操作の結果を参照することにより、前回の続きとして番組表示する工程とを有することを特徴とする。
【発明の効果】
【００１０】
本発明によれば、番組視聴時の対話的操作の結果を記録しておくことで、番組自体は再放送であっても、ユーザーにとっては前回の続きを楽しむといった応用ができる。
【発明を実施するための最良の形態】
【００１１】
時間情報は、ユーザーに対して選択肢を選ぶ際の制限時間として使用したり、選択の結果提示するシーンを時間によって振り分けたりすることができる。映像信号は通常通り流れ続けるので、ユーザーに任意のシーンを選択させることはできない。このことにより、逆に２度，３度と再放送時に違った見方のできる番組を作ることができる。
【００１２】
（実施例１）図２は、本発明の番組表示システムの第１の実施例を示している。本実施例においては、複数の同時進行する場面を一枚の映像画面として放送し、音声は各場面の分だけ複数放送する。アプリケーションプログラムではユーザーに場面を選択させ、選択場面に従って音声を自動選択する。例えば、刑事事件番組を例に採れば、番組の最後で、登場者メニューを表示し、その中から犯人だと思う人物を選ばせることができる。また、その場で正解かどうかを表示してもよいし、電話回線経由でセンターに送り懸賞金などの応募として使うといった応用もできる。
【００１３】
図中、２０１は、放送される映像情報であり、例えば、場面Ａ〜Ｄに４分割して表示（提示）されている。２０２は、アプリケーションプログラムによって作られたＯＳＤ（On ScreenDisplay：ＴＶ画面表示）で、提示しない画面を隠すと共にユーザーに操作を促すため、操作情報をグラフィックや文字によって提示している。なお、アプリケーションプログラムの動作は様々であり、例えば、ユーザーの操作によって番組関連情報をＯＳＤとして表示することや、番組と共に伝送される時刻情報を用いて、放送時間に関連した処理を行うなども考えられる。
【００１４】
２０３は、２０１，２０２の画面を合成した結果提示される画面で、図示の例では場面Ａしか提示されていない。２０４は、２０３の画面でユーザーが画面選択を行った結果、違う場面に移った例で、場面Ａの部分が隠され、場面Ｂが提示されている。図３の２１０は、アプリケーションプログラムと共に伝送される時間情報（タイムテーブル）の構成を示している。時間情報には番組開始からの経過時間と、それまでの間のアプリケーションの動作内容（例えば、状況説明Ａ―１，Ａ―２，…、メニュー表示を選択させる等）が記載されている。時間情報は各映像情報（図示の例では場面Ａ〜Ｄ用映像情報）毎に備えられている。
【００１５】
図４の２１１は、アプリケーションの基本動作のフロー図である。タイムテーブルを確認することで（Ｓ１０１）現在場面の変更時間を監視し、変更時間が来て次のシーンに移る（場面変更を行う）（Ｓ１０２）と、タイムテーブルの内容を実行する、即ち、ＯＳＤの操作，文字列の表示，メニュー表示，メニューの選択処理などを行う（Ｓ１０３）。
【００１６】
（実施例２）次に、アプリケーションプログラムとしてゲームを伝送する場合について、図５を参考に説明する。番組はゲーム背景用の映像を放送するがその中心はゲームであり、映像信号は背景として利用される。例えば、ユーザーの操作により得点が一定以上になったり、あるいはプレイ時間が一定時間を越えると映像を次の場面に切替え、また、番組の放送時間が過ぎるとゲームは終了する。本発明では、その時の操作の状態（結果）をＥＥＰＲＯＭ１１１（図１）に記録しておき、同じ番組の再放送を受信する時には、新しくゲームを実行するか、又は前回の続きのゲームを実行することができるようになっている。
【００１７】
３０１は放送される映像情報を示し、例えば、場面Ａ〜Ｄの４画面が放送されている。３０２は、アプリケーションプログラムによって作られたＯＳＤで、この例ではユーザによる対話的操作のための映像としてゲームを表示している。３０３は、３０１，３０２の合成後、表示される画面で、例えば映像として場面Ａを選択している。３０４は、３０３の画面で、ユーザーの例えばリモコン入力による操作又は時間経過の結果、違う場面に移った例を示し、場面Ｂが提示されている。
【００１８】
以上のとおり、本発明の実施形態においては、放送番組の複数の同時に進行する場面を一つの画面に提示するデジタル放送受信機における番組提示システムにおいて、前記画面の一部を、該番組に同期して伝送されるアプリケーションプログラムで作成される画面で覆い、提示場面を切り替えることにより、ユーザー毎に展開の違う番組提示を行うデジタル放送受信機における番組提示システムである。
【００１９】
また、放送番組の複数の同時に進行する場面のうち選択された一つの場面を画面に提示するデジタル放送受信機における番組提示システムにおいて、前記画面の一部に、該番組に同期して伝送されるアプリケーションプログラムで作成される画面を重ねて表示し、提示場面を切り替えることにより、ユーザー毎に展開の違う番組提示を行うデジタル放送受信機における番組提示システムである。
【００２０】
さらに、前記提示場面の切換は、ユーザーの対話的操作又は番組開始からの経過時間により行うデジタル放送受信機における番組提示システムである。
【００２１】
また、前記アプリケーションプログラムで作成される画面は、ユーザーによる前記対話的操作のための映像を提示するグラフィックや文字で構成されているデジタル放送受信機における番組提示システムである。
【００２２】
そしてまた、ユーザーの操作結果を前記デジタル放送受信機に記録し、同一番組の再放送時に、該操作記録を参照することにより、前回の続きとして番組提示できるデジタル放送受信機におけるシステムである。
【００２３】
従って、アプリケーションプログラムの動作を核として、ユーザーは対話的な番組を楽しむことができる。番組制作者側は、映像信号の作成手順は通常の映像番組と同じでよいので、コスト的なメリットがある。また、受信機メーカー側にとっても受信機のハードウェア構成は既存のものと大きくは変わらないので、コスト的なメリットがある。つまり、番組用の帯域が狭い場合にも、一つの画面を複数に分割して同時に複数の場面を放送し、提示しない部分にアプリケーションプログラムによってＯＳＤを重ねて隠し、目的の場面だけを提示することにより、映像信号を減らし、帯域を少なくできる。
【００２４】
また、複数のシーンを管理する必要がある場合にも、シーン毎の時間情報として番組開始時からの経過時間や指定時刻などを持たせて伝送されるアプリケーションプログラムを動作させ、番組と共に伝送される現在時刻情報から算出される経過時間とを、比較するなどして放送時間に関連した処理を行うことができ、このようにした場合、映像信号に特殊な情報を乗せる必要がなく、映像部分の制作にかかるコストを通常の作品と同じにすることができる。
【００２５】
さらに、ユーザーはアプリケーションプログラムと対話する形で番組を視聴するため、途中に操作の結果として複数のチャンネルの切替え操作があってもそのことを意識せずに済む。
【００２６】
そしてまた、アプリケーションプログラムによってＯＳＤを積極的に使い、映像信号に対しては通常の映像番組同様の制御しか行われない。このことにより、ハードウェア構成は従来のままで、様々な対話型番組を楽しむことができる。映像画面を複数伝送できる場合は、画面全体を一つの場面として使い、アプリケーションプログラムのＯＳＤによるユーザーとの対話によって複数の場面を切替えて使うことができる。
【００２７】
さらに、番組視聴時の操作結果などをＥＥＰＲＯＭに記録しておくことで、番組自体は再放送であっても、ユーザーにとっては前回の続きを楽しむといった応用ができる。
【図面の簡単な説明】
【００２８】
【図１】デジタル放送受信機の構成例を示す図である。
【図２】本発明の番組表示システムの第１の実施例を説明するための図である。
【図３】本発明で用いるタイムテーブルの構成を示す図である。
【図４】番組の場面の変更のためのアプリケーションの動作を示すフロー図である。
【図５】本発明の番組表示システムの第２の実施例を説明するための図である。
【符号の説明】
【００２９】
１０１…アンテナ、１０２…チューナ、１０３…分離部（ＤＥＭＵＸ）、１０４…ＭＰＥＧデコーダ、１０５…ビデオエンコーダ、１０６…ビデオ出力端子、１０７…音声用Ｄ／Ａ変換器、１０８…オーディオ出力端子、１０９…ＣＰＵ、１１０…ワークメモリ、１１１…ＥＥＰＲＯＭ、１１２…プログラムメモリ。
【図１】
2005045834.tif 000003
【図２】
2005045834.tif 000004
【図３】
2005045834.tif 000005
【図４】
2005045834.tif 000006
【図５】
2005045834.tif 000007